(57)【特許請求の範囲】
【請求項１】
模様部を備えた編み糸よりなる伸縮しやすいレース生地と、模様部と略同大のアップリケ片と、模様部より一回り大きな略相似形をなす針通孔を備えた支持板と、刺繍ミシンとを用い、
支持板を刺繍ミシンの可動枠に取り付け、
模様部を針通孔の内側に位置させるようにしてレース生地を支持板の上面に該上面に塗布された接着剤により剥離可能に接着するとともに、
アップリケ片を模様部の上に重ねて配置して仮止めし、
アップリケ片を刺繍縫目により模様部に重ね縫いし、
その後、レース生地を支持板から剥離することを特徴とするアップリケ付レース製品の製作方法。
【請求項２】
模様部を備えた編み糸よりなる伸縮しやすいレース生地と、模様部と略同大のアップリケ片と、模様部より一回り大きな略相似形をなす針通孔を備えた支持板と、アップリケ片を着脱可能に保持する保持板と、刺繍ミシンとを用い、
支持板を刺繍ミシンの可動枠に取り付け、
模様部を針通孔の内側に位置させるようにしてレース生地を支持板の上面に該上面に塗布された接着剤により剥離可能に接着するとともに、
透明な保持板にアップリケ片より小さい位置決め孔を形成し、該位置決め孔を覆うようにアップリケ片を保持板の下面に保持させ、
該保持板の下面を支持板の上面に合わせることにより、アップリケ片を模様部の上に重ねて配置し、位置決め孔を通して形成する仮縫目によりアップリケ片を模様部の上に仮止めし、
該保持板を支持板から取り除いてから、アップリケ片を刺繍縫目により模様部に重ね縫いし、
その後、レース生地を支持板から剥離することを特徴とするアップリケ付レース製品の製作方法。
【請求項３】
印部を描いた密度の粗いジョーゼットのような伸縮しやすい伸縮性生地と、印部と略同大のアップリケ片と、印部より一回り大きな略相似形をなす針通孔を備えた支持板と、刺繍ミシンとを用い、
支持板を刺繍ミシンの可動枠に取り付け、
印部を針通孔の内側に位置させるようにして伸縮性生地を支持板の上面に該上面に塗布された接着剤により剥離可能に接着するとともに、
アップリケ片を印部の上に重ねて配置して仮止めし、
アップリケ片を刺繍縫目により印部に重ね縫いし、
その後、伸縮性生地を支持板から剥離することを特徴とするアップリケ付伸縮性生地製品の製作方法。
【請求項４】
印部を描いた密度の粗いジョーゼットのような伸縮しやすい伸縮性生地と、印部と略同大のアップリケ片と、印部より一回り大きな略相似形をなす針通孔を備えた支持板と、アップリケ片を着脱可能に保持する保持板と、刺繍ミシンとを用い、
支持板を刺繍ミシンの可動枠に取り付け、
印部を針通孔の内側に位置させるようにして伸縮性生地を支持板の上面に該上面に塗布された接着剤により剥離可能に接着するとともに、
透明な保持板にアップリケ片より小さい位置決め孔を形成し、該位置決め孔を覆うようにアップリケ片を保持板の下面に保持させ、
該保持板の下面を支持板の上面に合わせることにより、アップリケ片を模様部の上に重ねて配置し、位置決め孔を通して形成する仮縫目によりアップリケ片を模様部の上に仮止めし、
該保持板を支持板から取り除いてから、アップリケ片を刺繍縫目により印部に重ね縫いし、
その後、伸縮性生地を支持板から剥離することを特徴とするアップリケ付伸縮性生地製品の製作方法。
【発明の詳細な説明】
【０００１】
【産業上の利用分野】
本発明は、衣類やカーテン等に使用されるレース製品に関し、詳しくはアップリケを付けた付加価値のあるレース製品及びその製作方法に関するものである。さらに、本発明は、アップリケを付けた伸縮性生地製品の製作方法に関するものである。
【０００２】
【従来の技術】
図１８は従来のレース製品の一例を部分的に示すもので、帯状のレース生地１に大小の模様部２，３が配設されている。図示例の模様部２，３はレース生地１の本体部分と同じ色の編み糸をかがってなる花柄の透かし模様であり、その透かし模様は、編み糸が密集する輪郭部４と、輪郭部４より内側の網状部５とから構成されている。
【０００３】
【発明が解決しようとする課題】
ところが、従来のレース製品によると、模様部２，３の透かし模様がレース生地１に融合して、模様部２，３の印象が弱くなることがあった。そこで、本発明の課題は、模様部にアップリケ片を重ねて刺繍縫いし、模様部を強調して、意匠性を改善できるアップリケ付レース製品を提供することにある。
【０００４】
ところで、刺繍糸を模様部２，３の編み糸に確実に絡み合わせるためには、アップリケ片を編み糸が密集する輪郭部４に正確に合わせて縫い付ける必要がある。ところが、レース生地１は非常に伸縮しやすいため、刺繍ミシンの通常の刺繍枠に展張することは困難である。また、仮にレース生地１を刺繍枠に展張したとしても、模様部２，３を刺繍枠内の正規の位置に配することは困難であり、縫製時にレース生地１が伸縮変形することもある。このため、輪郭部４が針落下位置からずれて、目こぼれやしわ等が発生するおそれがある。
【０００５】
そこで、本発明の別の課題は、アップリケ片をレース生地の模様部に美しい刺繍縫目で正確に重ね縫いすることができるアップリケ付レース製品の製作方法を提供することにある。
【０００６】
また、前記レース生地１の伸縮の問題は、伸縮しやすい伸縮性生地（例えば、密度の粗いジョーゼットのような織物）にアップリケ片を縫い付ける場合にも同じようにいえる。そこで、本発明の別の課題は、アップリケ片を伸縮性生地の所定位置に美しい刺繍縫目で正確に重ね縫いすることができるアップリケ付伸縮性生地製品の製作方法を提供することにある。
【０００７】
【課題を解決するための手段】
上記の課題を解決するために、本発明のアップリケ付レース製品は、模様部を備えたレース生地に、模様部と略同大のアップリケ片を刺繍縫目により模様部に重ね縫いして構成される。
【０００８】
本発明のアップリケ付レース製品の第１の製作方法は、模様部を備えた編み糸よりなる伸縮しやすいレース生地と、模様部と略同大のアップリケ片と、模様部より一回り大きな略相似形をなす針通孔を備えた支持板と、刺繍ミシンとを用い、支持板を刺繍ミシンの可動枠に取り付け、模様部を針通孔の内側に位置させるようにしてレース生地を支持板の上面に該上面に塗布された接着剤により剥離可能に接着するとともに、アップリケ片を模様部の上に重ねて配置して仮止めし、アップリケ片を刺繍縫目により模様部に重ね縫いし、その後、レース生地を支持板から剥離することを特徴とする。
【０００９】
本発明のアップリケ付レース製品の第２の製作方法は、模様部を備えた編み糸よりなる伸縮しやすいレース生地と、模様部と略同大のアップリケ片と、模様部より一回り大きな略相似形をなす針通孔を備えた支持板と、アップリケ片を着脱可能に保持する保持板と、刺繍ミシンとを用い、支持板を刺繍ミシンの可動枠に取り付け、模様部を針通孔の内側に位置させるようにしてレース生地を支持板の上面に該上面に塗布された接着剤により剥離可能に接着するとともに、アップリケ片を保持板の下面に保持させ、該保持板の下面を支持板の上面に合わせることにより、アップリケ片を模様部の上に重ねて配置して仮止めし、該保持板を支持板から取り除いてから、アップリケ片を刺繍縫目により模様部に重ね縫いし、その後、レース生地を支持板から剥離することを特徴とする。
【００１０】
前記第１又は第２のアップリケ付レース製品の製作方法において、次の手段をとることができる。
▲１▼  刺繍ミシンの針落下位置から所定距離離れたミシンテーブル上にマークを設け、模様部をマークに合わせるようにしてレース生地を支持板に接着する。
▲２▼  アップリケ片を模様部の上に接着して仮止めする。
▲３▼  第２の製作方法において、透明な保持板にアップリケ片より小さい位置決め孔を形成し、該位置決め孔を覆うようにアップリケ片を保持板の下面に保持させ、該保持板の下面を支持板の上面に合わせることにより、アップリケ片を模様部の上に重ねて配置し、位置決め孔を通して形成する仮縫目によりアップリケ片を模様部の上に仮止めする。
【００１１】
本発明のアップリケ付伸縮性生地製品の第１の製作方法は、印部を描いた密度の粗いジョーゼットのような伸縮しやすい伸縮性生地と、印部と略同大のアップリケ片と、印部より一回り大きな略相似形をなす針通孔を備えた支持板と、刺繍ミシンとを用い、支持板を刺繍ミシンの可動枠に取り付け、印部を針通孔の内側に位置させるようにして伸縮性生地を支持板の上面に該上面に塗布された接着剤により剥離可能に接着するとともに、アップリケ片を印部の上に重ねて配置して仮止めし、アップリケ片を刺繍縫目により印部に重ね縫いし、その後、伸縮性生地を支持板から剥離することを特徴とする。
【００１２】
本発明のアップリケ付伸縮性生地製品の第２の製作方法は、印部を描いた密度の粗いジョーゼットのような伸縮しやすい伸縮性生地と、印部と略同大のアップリケ片と、印部より一回り大きな略相似形をなす針通孔を備えた支持板と、アップリケ片を着脱可能に保持する保持板と、刺繍ミシンとを用い、支持板を刺繍ミシンの可動枠に取り付け、印部を針通孔の内側に位置させるようにして伸縮性生地を支持板の上面に該上面に塗布された接着剤により剥離可能に接着するとともに、アップリケ片を保持板の下面に保持させ、該保持板の下面を支持板の上面に合わせることにより、アップリケ片を印部の上に重ねて配置して仮止めし、該保持板を支持板から取り除いてから、アップリケ片を刺繍縫目により印部に重ね縫いし、その後、伸縮性生地を支持板から剥離することを特徴とする。
【００１３】
前記第１又は第２のアップリケ付伸縮性生地製品の製作方法においても、前記アップリケ付レース製品の製作方法の場合と同様の手段▲１▼▲２▼▲３▼をとることができる。
【００１４】
【作用】
本発明のアップリケ付レース製品によれば、模様部にアップリケ片が重ね縫いされるので、模様部がレース生地から浮き出して印象を強め、レース製品が全体としてアクセントに富んだ外観を呈する。特に、アップリケ片の色とレース生地の色とが異なる場合には、模様部がアップリケ片の色によって強調される。
【００１５】
本発明のアップリケ付レース製品の第１の製作方法によれば、レース生地を支持板の上面に接着するとともに、アップリケ片を模様部の上に仮止めした状態で、アップリケ片を模様部に重ね縫いするので、模様部を支持板の上面の正規の位置に容易に配することができ、また、縫製時にレース生地が伸縮変形することもなく、アップリケ片が模様部に美しい刺繍縫目で正確に縫い付けられる。
【００１６】
本発明のアップリケ付レース製品の第２の製作方法によれば、前記第１の製作方法による作用に加え、保持板を用いてアップリケ片を模様部の上に配置するので、その配置作業が正確かつ容易になり、複数のアップリケ片を同時に効率的に配置することも可能になる。
【００１７】
さらに、前記第１又は第２の製作方法において、前記手段▲１▼〜▲３▼をとった場合には、それぞれ次の作用がある。
▲１▼  前記手段▲１▼によれば、模様部を支持板の上面の正規の位置に配する作業がさらに正確かつ容易になる。
▲２▼  前記手段▲２▼によれば、アップリケ片を模様部の上に仮止めする作業が容易になる。
▲３▼  前記手段▲３▼によれば、アップリケ片を模様部に仮縫目により仮止めするので、接着剤が不要になり、接着剤の使用が好ましくないアップリケ片に適する。
【００１８】
本発明のアップリケ付伸縮性生地製品の第１の製作方法によれば、伸縮性生地を支持板の上面に接着するとともに、アップリケ片を印部の上に仮止めした状態で、アップリケ片を印部に重ね縫いするので、印部を支持板の上面の正規の位置に容易に配することができ、また、縫製時に伸縮性生地が伸縮変形することもなく、アップリケ片が印部に美しい刺繍縫目で正確に縫い付けられる。
【００１９】
本発明のアップリケ付伸縮性生地製品の第２の製作方法によれば、前記第１の製作方法による作用に加え、保持板を用いてアップリケ片を印部の上に配置するので、その配置作業が正確かつ容易になり、複数のアップリケ片を同時に効率的に配置することも可能になる。
【００２０】
【実施例】
以下、本発明を具体化した一実施例を図面に基づいて説明する。本実施例のアップリケ付レース製品は、図１８に示すレース生地１（従来のレース製品と同じもの）を素材として使用し、その模様部３にアップリケ片を刺繍縫いして製作される。帯状のレース生地１には大形の模様部２と小形の模様部３とが交互に所定の間隔をおいて配設されている。図示例の各模様部２，３はレース生地１の本体部分と同じ色の編み糸をかがってなる花柄の透かし模様であり、その透かし模様は、編み糸が密集する輪郭部４と、輪郭部４より内側の網状部５とから構成されている。
【００２１】
図１及び図２は本実施例のアップリケ付レース製品を部分的に示している（図３は図２の裏面図である）。アップリケ付レース製品７は、レース生地１の小形の模様部３にそれと同大のアップリケ片８を重ね、サテンステッチ等の刺繍縫目９で縫い付けて構成されている。大形の模様部２には、その透かし模様を残すために、アップリケ片が縫い付けられていない。なお、アップリケ片８及び刺繍縫目９の色は、レース生地１の編み糸の色や、レース製品７の用途等を考慮して任意に選択することができる。
【００２２】
上記のように構成された本実施例のアップリケ付レース製品７によれば、小形の模様部３にアップリケ片８が刺繍縫目９で重ね縫いされているので、模様部３がレース生地１から浮き出して印象を強め、レース製品７が全体としてアクセントに富んだ外観を呈することができる。特に、アップリケ片８の色とレース生地１の色とが異なる場合には、模様部３がアップリケ片８の色によって強調される。また、大形の模様部２にはアップリケ片が縫い付けられていないため、レース生地１に本来の透かし模様と新規なアップリケ片８とを混在させて、全体的にバランスのとれたデザインをレース製品７に付与することができる。
【００２３】
次に、アップリケ付レース製品７の製作に使用する装置について説明する。図４は刺繍ミシンを部分的に示している。刺繍ミシン１１のミシンテーブル１２上には、可動枠１３がＸ，Ｙ方向に移動可能に設けられるとともに、針落下位置を形成する針孔１４を備えた針板１５が設けられ、針板１５の上方には多数本の針１６（図１０に１本のみ図示）を装備した刺繍ヘッド１７が配設されている。また、待機位置にある可動枠１３の内側において、ミシンテーブル１２上には型紙１８が指示線１９に合わせて貼着され、その型紙１８には、針孔１４から所定距離離れた位置に各模様部２、３と同形で同大のマーク２０，２１が模様部２、３と同じ間隔で設けられている。なお、型紙１８を使用せず、マーク２０，２１をミシンテーブル１２の表面に記入してもよい。
【００２４】
図５〜図７は可動枠１３に取り付けて使用される刺繍枠を示している。刺繍枠２３は四角形に形成され、その４辺に固定した突片２４において、磁石２５により可動枠１３に着脱可能に取り付けられる。刺繍枠２３の内側には透明プラスチック板からなる支持板２６が水平に固定されている。支持板２６の一部には、刺繍ヘッド１７に取り付けたカットメス２７により、小形の模様部３よりも一回り大きな針通孔２８が打ち抜き形成されるとともに、支持板２６の上面には、レース生地１を着脱可能に接着するための接着剤２９が塗布される。なお、接着剤２９としては、レース生地１を繰り返して接着及び剥離でき、また、成分がレース生地１に残らない性質のものが好ましい。
【００２５】
次に、上記のように構成された装置を用いてアップリケ付レース製品７を製作する第１の方法について説明する。
【００２６】
まず、図３に示すように、予めレース生地１の各小形模様部３の上にアップリケ片８を手作業で重ねて配置し、接着剤で仮止めしておく。
【００２７】
一方、図５に示すように、刺繍ミシン１１の待機位置にある可動枠１３に刺繍枠２３を取り付け、支持板２６をミシンテーブル１２上の型紙１８の上に重ねる。次に、図６に示すように、可動枠１３を針孔１４に向けて移動させてから、刺繍枠２３を前後左右に駆動するとともに、刺繍ヘッド１７に取り付けたカットメス２７を上下に駆動して、支持板２６に小形の模様部３よりも一回り大きな針通孔２８を打ち抜く。そして、図７に示すように、可動枠１３を待機位置に復帰し、針通孔２８を型紙１８の小形マーク２１に整合させた状態で、支持板２６の表面に接着剤２９を塗布する。
【００２８】
続いて、図８に示すように、支持板２６を透かして大形の模様部２を型紙１８のマーク２０に合わせるとともに、小形の模様部３及びアップリケ片８をマーク２１に合わせて、小形の模様部３及びアップリケ片８が針通孔２８の内側に位置するようにし、レース生地１を接着剤２９で支持板２６に接着する。
【００２９】
その後、図９に示すように、可動枠１３を針孔１４に向けて移動させ、アップリケ片８の縫製開始位置を針孔１４に整合させる。この状態で、図１０に示すように、針１６を針通孔２８及び針孔１４に貫通させて上下に駆動し、アップリケ片８を刺繍縫目９により模様部３に重ねて縫い付ける。
【００３０】
その後、レース生地１を支持板２６から剥がして刺繍ミシン１１の後方へ模様の１ピッチ分だけずらし、次の模様部２，３及びアップリケ片８をマーク２０，２１に合わせて、レース生地１を支持板２６に接着し、そのアップリケ片８を模様部３に縫い付け、これを順次繰り返して、図１及び図２に示すようなアップリケ付レース製品７を完成する。
【００３１】
このように、第１の製作方法によれば、アップリケ片８が配置されたレース生地１を支持板２６に接着した状態で、アップリケ片８を模様部３に重ね縫いするので、模様部２，３を支持板２６の上面の正規の位置に容易に配することができ、また、縫製時にレース生地１が伸縮変形することもなく、アップリケ片８を美しい刺繍縫目９で模様部３に正確に縫い付けることができる。特に本実施例では、模様部３及びアップリケ片８をマーク２１に合わせるようにしてレース生地１を支持板２６に接着するので、模様部３及びアップリケ片８を支持板２６の上面の正規の位置に配する作業がさらに正確かつ容易になる。また、支持板２６が透明であるから、大形の模様部２をマーク２０に合わせて、レース生地１の歪み等を容易に修正することも可能である。
【００３２】
次に、アップリケ付レース製品７を製作する第２の方法について説明する。第２の製作方法を実施する際には、第１の方法で使用した装置に加え、図１１、図１２及び図１４に示す保持板３１が使用される。保持板３１は透明プラスチック板からなり、保持枠３２の内側に水平に固定されている。保持枠３２は刺繍枠２３の内側に嵌合された状態で、突片３３を介して可動枠１３に支持される。保持板３１の一部には、支持板２６の場合と同様のカットメス２７を用いて、アップリケ片８よりも一回り小さな位置決め孔３４が打ち抜き形成されるとともに、その位置決め孔３４の周辺部において、保持板３１裏面にはアップリケ片８を着脱可能に接着保持するための接着剤３５が塗布される。
【００３３】
この第２の製作方法においては、まず、図１２に示すように、予めアップリケ片８で位置決め孔３４を覆うように、アップリケ片８を接着剤３５で保持板３１の下面に保持しておく（図１２では保持板３１の下面が上を向いている。）。
【００３４】
一方、図１３に示すように、支持板２６を刺繍ミシン１１の可動枠１３に取り付ける。次に、既製品のレース生地１を、その模様部３が針通孔２８の内側に位置するようにして、支持板２６の上面に接着剤２９で着脱可能に接着する。このとき、図１４に示すように、模様部３を型紙１８のマーク２１に合わせて、レース生地１を支持板２６に接着する。
【００３５】
続いて、図１２の保持枠３２を上下反転させ、これを図１５に示すように刺繍枠２３に嵌合して、保持板３１の下面を支持板２６の上面に合わせることにより、アップリケ片８を模様部３に重ねて配置する。この状態で、可動枠１３を針落下位置に移動させ、針１６で位置決め孔３４を通して形成する仮縫目３６（例えば歩きステッチ）によりアップリケ片８をレース生地１に仮止めする。
【００３６】
その後、図１６及び図１７に示すように、保持板３１を支持板２６から取り除いてから、第１の製作方法と同様に、アップリケ片８を刺繍縫目９により模様部３に重ねて縫い付ける。
【００３７】
この第２の製作方法によれば、第１の製作方法による作用及び効果に加え、保持板３１を用いてアップリケ片８をレース生地１の模様部３の上に配置するので、その配置作業が正確かつ容易になり、複数のアップリケ片８を同時に効率的に配置することもできる。また、透明な保持板３１を使用しているため、その保持板３１を透かしてアップリケ片８の配置位置を確認できる。また、アップリケ片８を模様部３に仮縫目３６により仮止めするので、接着剤が不要になり、接着剤の使用が好ましくないアップリケ片に適する。
【００３８】
なお、本発明は上記実施例に限定されるものはでなく、例えば次に例示するように、適宜変更して具体化することも可能である。
（１）レース生地１の大小の模様部２，３にそれぞれアップリケ片８を縫い付けること。
（２）第１及び第２の製作方法において、同一形状の針通孔を備えた２枚の支持板を用い、各支持板の間にレース生地を挟んで接着すること。
（３）第２の製作方法において、アップリケ片を接着剤で模様部に仮止めすること。
【００３９】
（４）前記レース生地をレース生地以外の伸縮しやすい伸縮性生地（例えば、密度の粗いジョーゼットのような織物）に置き換えるとともに、前記模様部に代えて伸縮性生地にプリント等により描いた印部（一般的にはアップリケ片の輪郭線形状）とすれば、本発明のアップリケ付伸縮性生地製品の製作方法を具体化できる。
【００４０】
【発明の効果】
以上詳述したように、請求項１又は３の発明によれば、レース生地又は伸縮性生地を支持板に接着した状態で、アップリケ片を模様部又は印部に重ね縫いするので、模様部又は印部を支持板の上面の正規の位置に容易に配することができ、また、縫製時にレース生地又は伸縮性生地が伸縮変形することもなく、アップリケ片を美しい刺繍縫目で模様部又は印部に正確に縫い付けることができる。
【００４１】
上記効果に加え、請求項２又は４の発明によれば、保持板を用いてアップリケ片を模様部又は印部の上に配置するので、その配置作業が正確かつ容易になり、複数のアップリケ片を同時に効率的に配置することも可能になる。また、アップリケ片を模様部又は印部に仮縫目により仮止めするので、接着剤が不要になり、接着剤の使用が好ましくないアップリケ片に適する。
【図面の簡単な説明】
【図１】本発明の一実施例を示すアップリケ付レース製品の平面図である。
【図２】同製品の裏面図である。
【図３】本発明による第１の製作方法の実施例においてレース生地にアップリケ片を配置する工程を示す平面図である。
【図４】刺繍ミシンを部分的に示す平面図である。
【図５】支持板を取り付ける工程を示す刺繍ミシンの平面図である。
【図６】支持板に針通孔を形成する工程を示す刺繍ミシンの平面図である。
【図７】支持板に接着剤を塗布する工程を示す刺繍ミシンの平面図である。
【図８】支持板にレース生地を接着する工程を示す刺繍ミシンの平面図である。
【図９】アップリケ片を縫い付ける工程を示す刺繍ミシンの平面図である。
【図１０】アップリケ片を縫い付ける工程を示す刺繍ミシンの断面図である。
【図１１】本発明による第２の製作方法の実施例で使用する保持板の裏面図である。
【図１２】アップリケ片を保持する工程を示す保持板の裏面図である。
【図１３】支持板にレース生地を接着する工程を示す刺繍ミシンの平面図である。
【図１４】支持板にレース生地を接着する工程を示す刺繍ミシンの断面図である。
【図１５】支持板に保持板を接合する工程を示す刺繍ミシンの平面図である。
【図１６】支持板から保持板を取り除く工程を示す刺繍ミシンの断面図である。
【図１７】アップリケ片を仮止めする工程を示す刺繍ミシンの平面図である。
【図１８】従来のレース製品を示す平面図である。
【符号の説明】
１  レース生地
３  模様部
７  アップリケ付レース製品
８  アップリケ片
９  刺繍縫目
１１  刺繍ミシン
１２  ミシンテーブル
１３  可動枠
１４  針孔
１６  針
２１  マーク
２６  支持板
２８  針通孔
３１  保持板
３４  位置決め孔
３６  仮縫目
【図１】
0003867298.tif 000002
【図２】
0003867298.tif 000003
【図３】
0003867298.tif 000004
【図４】
0003867298.tif 000005
【図５】
0003867298.tif 000006
【図６】
0003867298.tif 000007
【図７】
0003867298.tif 000008
【図８】
0003867298.tif 000009
【図９】
0003867298.tif 000010
【図１０】
0003867298.tif 000011
【図１１】
0003867298.tif 000012
【図１２】
0003867298.tif 000013
【図１３】
0003867298.tif 000014
【図１４】
0003867298.tif 000015
【図１５】
0003867298.tif 000016
【図１６】
0003867298.tif 000017
【図１７】
0003867298.tif 000018
【図１８】
0003867298.tif 000019